(57)【要約】【課題】所定間隔毎に下向きに噴霧する下向き噴霧ノズルを備えている散布ブームと、隣接する下向き散布ノズルの中間部位から吊り下げ散布ブームを下方に延出して左右方向に噴霧する左右吊り下げ噴霧ノズルを備えた薬液散布装置において、静電散布装置を付設し、作物の全周に薬液を効率的に散布する。【解決手段】散布ブームに所定間隔毎に下向きに噴霧する下向き散布ノズルを設け、該下向き散布ノズルの薬液噴霧部周辺に前後高電圧電導体を対向配置し、前記散布ブームにおける隣接する下向き散布ノズルの中間部位から吊り下げ散布ブームを下方に延出して左右方向に噴霧する左右吊り下げ噴霧ノズルを設け、該左右吊り下げ噴霧ノズルの薬液噴霧部周辺に左右吊り下げ高電圧電導体を対向配置したことを特徴とする農用作業車の静電散布装置の構成とする。【選択図】図２
2012135224.tif 000002
【特許請求の範囲】
【請求項１】
散布ブーム（４Ｃ，４Ｌ，４Ｒ）に所定間隔毎に下向きに噴霧する下向き散布ノズル（３ａ，…）を設け、該下向き散布ノズル（３ａ，…）の薬液噴霧部周辺に前後高電圧電導体（６１，６１）を対向配置し、
前記散布ブーム（４Ｃ，４Ｌ，４Ｒ）における隣接する下向き散布ノズル（３ａ，…）の中間部位から吊り下げ散布ブーム（４Ｄ，…）を下方に延出して左右方向に噴霧する左右吊り下げ噴霧ノズル（３ｂ，…）を設け、該左右吊り下げ噴霧ノズル（３ｂ，…）の薬液噴霧部周辺に左右吊り下げ高電圧電導体（６１ｄ，６１ｄ）を対向配置したことを特徴とする農用作業車の静電散布装置。
【請求項２】
前記散布ブーム（４Ｃ，４Ｌ，４Ｒ）の下向き散布ノズル（３ａ，…）の噴霧薬液周辺部に前後高電圧電導体（６１，６１）に設けた円環状部（６１ａ，６１ａ）を略等距離に対向配置し、前記左右吊り下げ高電圧電導体（６１ｄ，６１ｄ）に設けた左右円環状部（６１ｄａ，…）を前記左右吊り下げ噴霧ノズル（３ｂ，…）から左右両側への噴霧薬液周辺部に略等距離に対向配置したことを特徴とする請求項１に記載の農用作業車の静電散布装置。
【請求項３】
前記散布ブーム（４Ｃ，４Ｌ，４Ｒ）の下向き散布ノズル（３ａ，…）を畦部（６５，６５）の上方に配置し、前記左右吊り下げ噴霧ノズル（３ｂ，…）及び左右吊り下げ高電圧電導体（６１ｄ，６１ｄ）を隣接する畦部（６５，６５）間の溝部（６６）上方に配設したことを特徴とする請求項１に記載の農用作業車の静電散布装置。
【請求項４】
前記散布ブーム（４Ｃ，４Ｌ，４Ｒ）の下向き散布ノズル（３ａ，…）を畦部（６５，６５）の上方に配置し、前記左右吊り下げ噴霧ノズル（３ｂ，…）及び左右吊り下げ高電圧電導体（６１ｄ，６１ｄ）の左右円環状部（６１ｄａ，…）を隣接する畦部（６５，６５）間の溝部（６６）上方に配設したことを特徴とする請求項２に記載の農用作業車の静電散布装置。
【発明の詳細な説明】
【技術分野】
【０００１】
本発明は、薬液等を作物に散布する散布装置を備えた農用作業車の静電散布装置に関する。
【背景技術】
【０００２】
農作物等の静電散布装置において、支持杆の長手方向に並設されている噴霧ノズル夫々が、この長手方向に交差する方向に液体を噴霧するように構成し、２本の導電部は噴霧ノズルから噴霧される液体の拡散範囲に介在して互いに略並行に、支持杆の長手方向に離間配置し、導電部と導電部に高電圧を印加する電源装置としてのインバータを接続したものは、公知である（特許文献１）。
【先行技術文献】
【特許文献】
【０００３】
【特許文献１】特開２００８−１９４６７３号公報
【発明の概要】
【発明が解決しようとする課題】
【０００４】
背景技術のものは、散布ブームの噴霧ノズルの下方に長手方向に沿った直線状の前後高電圧電導体を配設して静電散布装置を構成し、噴霧ノズルからの噴霧薬液を前後高電圧電導体により帯電させ作物への付着を均一化しようとするものである。
【０００５】
本発明は、所定間隔毎に下向きに噴霧する下向き噴霧ノズルを備えている散布ブームと、この散布ブームにおける隣接する下向き散布ノズルの中間部位から吊り下げ散布ブームを下方に延出し、この吊り下げ散布ブームに左右方向に噴霧する左右吊り下げ噴霧ノズルを備えた薬液散布装置において、これらの下向き散布ノズル及び左右吊り下げ散布ノズルに静電散布装置を付設し、作物の全周に薬液を効率的に散布しようとするものである。
【課題を解決するための手段】
【０００６】
請求項１の発明は、散布ブーム（４Ｃ，４Ｌ，４Ｒ）に所定間隔毎に下向きに噴霧する下向き散布ノズル（３ａ，…）を設け、該下向き散布ノズル（３ａ，…）の薬液噴霧部周辺に前後高電圧電導体（６１，６１）を対向配置し、
前記散布ブーム（４Ｃ，４Ｌ，４Ｒ）における隣接する下向き散布ノズル（３ａ，…）の中間部位から吊り下げ散布ブーム（４Ｄ，…）を下方に延出して左右方向に噴霧する左右吊り下げ噴霧ノズル（３ｂ，…）を設け、該左右吊り下げ噴霧ノズル（３ｂ，…）の薬液噴霧部周辺に左右吊り下げ高電圧電導体（６１ｄ，６１ｄ）を対向配置したことを特徴とする農用作業車の静電散布装置とする。
【０００７】
請求項２の発明は、前記散布ブーム（４Ｃ，４Ｌ，４Ｒ）の下向き散布ノズル（３ａ，…）の噴霧薬液周辺部に前後高電圧電導体（６１，６１）に設けた円環状部（６１ａ，６１ａ）を略等距離に対向配置し、前記左右吊り下げ高電圧電導体（６１ｄ，６１ｄ）に設けた左右円環状部（６１ｄａ，…）を前記左右吊り下げ噴霧ノズル（３ｂ，…）から左右両側への噴霧薬液周辺部に略等距離に対向配置したことを特徴とする請求項１に記載の農用作業車の静電散布装置とする。
【０００８】
請求項３の発明は、前記散布ブーム（４Ｃ，４Ｌ，４Ｒ）の下向き散布ノズル（３ａ，…）を畦部（６５，６５）の上方に配置し、前記左右吊り下げ噴霧ノズル（３ｂ，…）及び左右吊り下げ高電圧電導体（６１ｄ，６１ｄ）を隣接する畦部（６５，６５）間の溝部（６６）上方に配設したことを特徴とする請求項１に記載の農用作業車の静電散布装置とする。
【０００９】
請求項４の発明は、前記散布ブーム（４Ｃ，４Ｌ，４Ｒ）の下向き散布ノズル（３ａ，…）を畦部（６５，６５）の上方に配置し、前記左右吊り下げ噴霧ノズル（３ｂ，…）及び左右吊り下げ高電圧電導体（６１ｄ，６１ｄ）の左右円環状部（６１ｄａ，…）を隣接する畦部（６５，６５）間の溝部（６６）上方に配設したことを特徴とする請求項２に記載の農用作業車の静電散布装置とする。
【発明の効果】
【００１０】
請求項１の発明によると、散布ブーム（４Ｃ，４Ｌ，４Ｒ）の下向き散布ノズル（３ａ，…）の薬液噴霧部周辺に前後高電圧電導体（６１，６１）を対向配置し、散布ブーム（４Ｃ，４Ｌ，４Ｒ）における隣接する下向き散布ノズル（３ａ，…）の中間部位から吊り下げ散布ブーム（４Ｄ，…）を下方に延出して左右方向に噴霧する左右吊り下げ噴霧ノズル（３ｂ，…）を設け、左右吊り下げ噴霧ノズル（３ｂ，…）の薬液噴霧部周辺に左右吊り下げ高電圧電導体（６１ｄ，６１ｄ）を対向配置したので、下向き噴霧ノズル（３ａ，…）から作物の上部に下向きの薬液を噴霧し、左右吊り下げ噴霧ノズル（３ｂ，…）から作物の左右両側部に左右方向横向きの薬液を噴霧し、噴霧薬液に電化量を帯電させ作物の茎葉部全周に効率的に薬液を散布することができる。
【００１１】
請求項２の発明によると、請求項１の発明の前記効果に加えて、散布ブーム（４Ｃ，４Ｌ，４Ｒ）の下向き散布ノズル（３ａ，…）の薬液噴霧部周辺に前後高電圧電導体（６１，６１）に設けた円環状部（６１ａ，６１ａ）を等距離に対向配置し、左右吊り下げ高電圧電導体（６１ｄ，６１ｄ）に設けた左右円環状部（６１ｄａ，…）を左右吊り下げ噴霧ノズル（３ｂ，…）に略等距離に対向配置したので、下向き散布ノズル（３ａ，…）から下方に噴霧する薬液及び左右吊り下げ噴霧ノズル（３ｂ，…）から左右両側に向けて噴霧する薬液に略均等な電化量を帯電させ、作物茎葉部の上部及び左右両側部に均等に散布することができる。
【００１２】
請求項３の発明によると、請求項１の発明の前記効果に加えて、散布ブーム（４Ｃ，４Ｌ，４Ｒ）の下向き散布ノズル（３ａ，…）を畦部（６５，６５）の上方に配置し、左右吊り下げ噴霧ノズル（３ｂ，…）及び左右吊り下げ高電圧電導体（６１ｄ，６１ｄ）を隣接する畦部（６５，６５）間の溝部（６６）上方に配設したので、散布ブーム（４Ｃ，４Ｌ，４Ｒ）の下向き散布ノズル（３ａ，…）から畦部（６５，６５）の作物の上部への下向きの噴霧薬液、及び、左右吊り下げ噴霧ノズル（３ｂ，…）から左右両側への噴霧薬液を前後高電圧電導体（６１，６１）、左右吊り下げ高電圧電導体（６１ｄ，６１ｄ）により帯電させ、作物の茎葉部全周に効率的に散布することができる。
【００１３】
請求項４の発明によると、請求項２の発明の前記効果に加えて、散布ブーム（４Ｃ，４Ｌ，４Ｒ）の下向き散布ノズル（３ａ，…）を畦部（６５，６５）の上方に配置し、左右吊り下げ噴霧ノズル（３ｂ，…）及び左右吊り下げ高電圧電導体（６１ｄ，６１ｄ）の左右円環状部（６１ｄａ，…）を隣接する畦部（６５，６５）間の溝部（６６）上方に配設したので、散布ブーム（４Ｃ，４Ｌ，４Ｒ）の下向き散布ノズル（３ａ，…）から畦部（６５，６５）の作物上部への下向きの噴霧薬液、及び、左右吊り下げ噴霧ノズル（３ｂ，…）から左右両側への噴霧薬液を、前後高電圧電導体（６１，６１）の円環状部（６１ａ，６１ａ）、左右吊り下げ高電圧電導体（６１ｄ，６１ｄ）の左右円環状部（６１ｄａ，…）により略均等に電化量を帯電させ、作物の茎葉部全周に均等に散布することができる。
【図面の簡単な説明】
【００１４】
【図１】農用作業車の側面図。
【図２】農用作業車の正面図。
【図３】散布操作ボックスの平面図。
【図４】噴霧装置のブロック図。
【図５】静電散布装置の背面図、側面図、平面図。
【図６】散布ブーム、静電散布装置の正面図。
【図７】農用作業車の前部の拡大側面図。
【発明を実施するための形態】
【００１５】
以下、本発明の静電散布装置を備えた薬液を散布する農用作業車の散布装置について説明する。
まず、図１及び図２に基づき農用作業車１の全体構成について説明する。
【００１６】
農用作業車１には、薬液を収納する薬液タンク２と、下向き噴霧ノズル３，…を備えた散布ブーム４と、前記薬液タンク２内の薬液を下向き散布ノズル３ａ，…まで送る防除ポンプ６等からなる散布装置７を車体に装着している。
【００１７】
農用作業車１は、前後方向に沿った左右主フレーム８，８を左右平行に設け、左右主フレーム８，８の前側部に左右前輪９，９を、後側部に左右後輪１１，１１を設けている。この左右主フレーム８，８上にはオペレータが足を置くフロア１２を設け、フロア１２上には左右のブレーキぺダル１３，１３等を設けている。
【００１８】
車体前側部のボンネット１６内にはエンジン（図示省略）を搭載し、エンジンの動力をミッションケース１８に伝達し、ミッションケース１８内の静油圧式の無段変速装置及びギヤ式の副変速装置（図示省略）で変速した動力を前輪９，９及び後輪１１，１１に伝達し、ミッションケース１８内には走行伝動軸の回転数から車速を検出する車速センサ（図示省略）を設けている。
【００１９】
運転席１９の前方にはボンネット１６の後側部から突設しているハンドル２１を設け、ボンネット１６の後側部に表示パネル２３を設け、運転席１９の左側には無段変速装置操作用の無段変速レバー（図示省略）を設け、無段変速レバーの基部に操作位置を検出する無段変速レバーセンサ（図示省略）を設け、運転席１９の右側には散布量や散布幅を設定する散布操作ボックス２７を設けている。
【００２０】
散布ブーム４は、農用作業車１の左右主フレーム８の前側部に設けたブーム支持部材４２により支持されている。このブーム支持部材４２は油圧シリンダ４３により散布高さが調整できるように構成されていて、散布ブーム４には所定間隔毎に下向き散布ノズル３ａ，…を設け、この左右散布ブーム４Ｌ，４Ｒは左右両側に突出した散布状態と、農用作業車１の左右側部に沿った収納状態とに回動調節できる構成である。
【００２１】
また、防除ポンプ６は例えば電気モータにより駆動し、図４に示すように、防除ポンプ６から吐出した薬液は、吐出ホース２９を経由して調圧装置３０に送られ、吐出薬液の一部は撹拌ホース３７を経由して薬液タンク２に還流し、沈殿した薬液を撹拌するようにしている。
【００２２】
前記調圧装置３０を次のように構成している。調圧装置３０の調圧マニホールド３０ａには、調圧制御弁３１、エアチャンバ３２、リリーフバルブ３３（調圧制御弁３１の上手側に設けている）、流量制御弁３４を設けている。
【００２３】
しかして、リリーフバルブ３３からの余分の薬液は戻しホース３６を経由して薬液タンク２に還流し、調圧制御弁３１で調整された吐出薬液を前圧力センサ４０ａで検出して吐出ホース２９の終端側に送り、流量センサ４１で流量を検出し、後圧力センサ４０ｂで散布圧力を検出し、噴霧マニホールド３５、開閉コック３８，…を経て複数の高圧ホース３９，…から散布ブーム４の中央散布ブーム４Ｃ、左右散布ブーム４Ｌ，４Ｒに送り下向き散布ノズル３ａ，…から薬液を散布する。
【００２４】
なお、左右散布ブーム４Ｌ，４Ｒは、基準左右散布ブーム４Ｌａ，４Ｒａに対してスライド左右散布ブーム４Ｌｂ，４Ｒｂを長手方向にスライド調節できるように構成し、スライド左右散布ブーム４Ｌｂ，４Ｒｂに略所定間隔毎に下向き散布ノズル３ａ，…を設けている。
【００２５】
次に、図１、図２、図４及び図５に基づき静電散布装置について説明する。
静電散布装置は効率的に薬液を作物に散布する目的で付設するもので、中央散布ブーム４Ｃ、基準左右散布ブーム４Ｌａ，４Ｒａ、左右方向にスライド調節できるスライド左右散布ブーム４Ｌｂ，４Ｒｂには、所定間隔毎に薬液を下向きに噴霧する下向き噴霧ノズル３ａ，…設け、この下向き噴霧ノズル３ａ，…の下方部位に、散布ブームの長手方向に沿わせて棒状の前後高電圧電導体６１，６１を前後両側に配設し、前後高電圧電導体６１，６１には電源装置（図示省略）から高電圧を印加するように構成している。そして、散布ブーム４の下向き散布ノズル３ａ，…の直下部位における高電圧電導体６１，６１のみを、平面視で下向き散布ノズル３ａ，…から前後左右に遠ざかる円環状部６１ａ，…に構成し、左右に隣接する円環状部６１ａ，…を左右方向に沿った直線状部６１ｂ，…で接続し、散布ブーム４から垂下したステー６２、…により直線状部６１ｂ，…を支持している。
【００２６】
なお、高電圧電導体６１，６１の円環状部６１ａ，６１ａ及び直線状部６１ｂ，６１ｂを合成樹脂により被覆し、あるいは、円環状部６１ａ，６１ａを除いた直線状部６１ｂ，…を合成樹脂により被覆し、オペレータの安全を図っている。
【００２７】
散布ブーム４の下向き散布ノズル３ａ，…における下方前後両側に左右方向に沿った棒状の前後高電圧電導体６１，６１を配設しただけの構成では、下向き散布ノズル３ａ，…から側面視円錐状で且つ平面視円形状に拡散状態の噴霧薬液が散布されると、前後高電圧電導体６１，６１の近い前後の噴霧部と遠い左右の噴霧部では帯電する電化量に差が生じ、作物への薬液の付着むらが発生する。
【００２８】
しかし、散布ブーム４の下向き散布ノズル３ａ，…の直下部位の前後高電圧電導体６１，６１を、平面視で下向き散布ノズル３ａ，…から略均等に前後左右に遠ざかる円環状部６１ａ，６１ａに構成すると、下向き散布ノズル３ａ，…からの噴霧部周辺に略均等な電化量を帯電させ、作物の茎葉部周辺に均等に薬液を散布することができる。
【００２９】
また、前後高電圧電導体６１，６１を円環状部６１ａ，…と直線状部６１ｂ，…とで構成し、散布ブーム４から垂下しているステー６２により直線状部６１ｂ，…を支持する構成とすると、前後高電圧電導体６１，６１の支持構成を簡単化することができる。
【００３０】
また、中央散布ブーム４Ｃ、基準左右散布ブーム４Ｌａ，４Ｒａ、スライド左右散布ブーム４Ｌｂ，４Ｒｂには所定間隔毎に下向き散布ノズル３ａ，…を設け、下向き散布ノズル３ａ，…から下方の作物６４に向けて薬液を噴霧するようにしている。また、これら散布ブームの隣接する下向き散布ノズル３ａ，３ａの中間部位から吊り下げステー６３を垂下させて設け、吊り下げステー６３に沿わせ吊り下げ散布ブーム４Ｄを下方に延出して設け、吊り下げ散布ブーム４Ｄ，…の下端部に左右方向に向けて噴霧する左右吊り下げ噴霧ノズル３ｂ，…を設け、左右の作物６４，…に向けて薬液を噴霧するようにしている。
【００３１】
そして、前記吊り下げステー６３に沿わせて左右吊り下げ高電圧電導体６１ｄ，６１ｄを下方に延出して設け、この左右吊り下げ高電圧電導体６１ｄ，６１ｄの下端部に左右円環状部６１ｄａ，６１ｄａを設け、この左右円環状部６１ｄａ，…を左右吊り下げ噴霧ノズル３ｂ，…から左右両側に向けて噴霧する薬液の周辺部に略等しい距離を隔てて対向するように配設し、左右吊り下げ噴霧ノズル３ｂ，…から左右両側に向けて噴霧する薬液に略均等な電化量を帯電させ、作物の茎葉部周辺に均等に薬液を付着させるようにしている。
【００３２】
そして、前記左右吊り下げ噴霧ノズル３ｂ，…及び左右吊り下げ高電圧電導体６１ｄ，６１ｄの左右円環状部６１ｄａ，…を畦部６５，６５の間の溝部６６上方に配設し、左右吊り下げ高電圧電導体６１ｄ，６１ｄの左右円環状部６１ｄａ，…で左右吊り下げ噴霧ノズル３ｂ，…からの噴霧薬液に略均等な電化量を帯電させ、作物の茎葉部周辺に均等に薬液を付着させるようにしている。
【００３３】
また、吊り下げステー６３に沿わせ吊り下げ散布ブーム４Ｄ，…を垂下して設け、吊り下げ散布ブーム４Ｄ，…の下端部に設けた左右吊り下げ噴霧ノズル３ｂ，…から左右両側に向けて薬液を噴霧するようにしている。そして、左右吊り下げ噴霧ノズル３ｂ，…から左右両側に向けて噴霧する薬液の周辺部に対して左右吊り下げ高電圧電導体６１ｄ，６１ｄの下端部に設けた左右円環状部６１ｄａ，…を等距離隔てて対向配置し、左右散布ノズル３ａ，３ａの噴霧薬液に対して略均等の静電容量を付与するようにしている。
【００３４】
また、中央散布ブーム４Ｃ、左右散布ブーム４Ｌ，４Ｒを備えた静電散布装置において、これらの下向き散布ノズル３ａ，…に対応して前後高電圧電導体６１，…を設けると、薬液散布作業の作物への付着効率を高めることができる。
【００３５】
農用作業車１の左右主フレーム８の前側部に設けたブーム支持部材４２により前後高電圧電導体６１，…付きの中央散布ブーム４Ｃ、左右散布ブーム４Ｌ，４Ｒを支持し、運転席１９近傍の散布操作ボックス２７に設けている昇降操作手段を操作することにより、ブーム支持部材４２を油圧シリンダ４３により上下調節し、散布高さを調整できるようにしている。
【００３６】
また、中央散布ブーム４Ｃ、左右散布ブーム４Ｌ，４Ｒの左右横向き吊り下げ散布ノズル３ｂ，…に付設している左右吊り下げ高電圧電導体６１ｄ，６１ｄへの電圧供給は、運転席１９近傍の散布操作ボックス２７に設けている吊り下げ電圧供給操作手段により入切し、そして、中央散布ブーム４Ｃ、左右散布ブーム４Ｌ，４Ｒの左右吊り下げ高電圧電導体６１ｄ，６１ｄに対して独立して別個に入切できる構成とし、安全性の向上及び左右吊り下げ高電圧電導体６１ｄ，…の耐久性向上を図っている。
【００３７】
また、中央散布ブーム４Ｃ、左右散布ブーム４Ｌ，４Ｒの下向き散布ノズル３ａ，…、横向き散布ノズル３ｂ，…に高電圧電導体６１，…を付設した静電散布装置において、これらの下向き散布ノズル３ａ，…の前後高電圧電導体６１，６１と左右横向き散布ノズル３ｂ，…の左右吊り下げ高電圧電導体６１ｄ，６１ｄへの電圧供給は、前記散布操作ボックス２７に設けている電圧供給操作手段により入切し、これらの下向き散布ノズル３ａ，…の前後高電圧電導体６１，６１と左右横向き噴霧ノズル３ｂ，…の左右吊り下げ高電圧電導体６１ｄ，６１ｄに対して同時に入切できるように構成すると、電圧供給の操作を簡単にすることができる。
【００３８】
また、吊り下げステー６３に左右吊り下げ高電圧電導体６１ｄ，…を設けるにあたり、吊り下げステー６３の左右側方に上下方向に沿わせて直線状部６１ｄｂを配置し、その直線状部６１ｄｂの下側端部に円環状部６１ｄａを設け、左右吊り下げ噴霧ノズル３ｂ，…に対向して左右円環状部６１ｄａ，…を対向配置し、吊り下げステー６３の下端部よりも上方に左右円環状部６１ｄａ，…を位置するようにし、左右円環状部６１ｄａ，…の作物等への干渉を少なくし耐久性の向上を図っている。
【００３９】
なお、中央散布ブーム４Ｃ、左右散布ブーム４Ｌ，４Ｒの下向き噴霧ノズル３ａ，…に高電圧電導体６１，６１を付設する際にも、これらのフレーム部の長手方向に沿わせて直線状部６１ｂ，…を配設し、そのノズル対向部位に円環状部６１ａを設けている。
【００４０】
また、中央散布ブーム４Ｃ、左右散布ブーム４Ｌ，４Ｒの下向き散布ノズル３ａ，…、左右吊り下げ散布ノズル３ｂ，…に前後高電圧電導体６１，…、左右吊り下げ高電圧電導体６１ｄ，…を付設した静電散布装置において、車速センサの検出情報に基づき散布量制御をするようにしてもよい。
【００４１】
散布制御用コントローラ４８に通常散布（例えば１００リットル／１０アール）、多量散布（２００リットル／１０アール）切換用の散布量設定スイッチを接続し、オペレータが散布量設定スイッチで散布量の設定をする。散布作業が開始されると、車速センサにより車速（ｍ／ｓ）が検出され、コントローラ４８内の散布制御手段により検出車速に対応した散布量を算出し、設定散布量と算出散布量が一致するように流量制御弁３４を開閉制御し、散布流量を変化させる。しかして、静電散布装置により噴霧薬液に対して均一に帯電させながら作物に薬液を均一に散布することができる。
【００４２】
また、中央散布ブーム４Ｃ、左右散布ブーム４Ｌ，４Ｒに高電圧電導体６１，…、吊り下げ高電圧電導体６１ｄ，…を付設した静電散布装置において、車速センサの検出情報に基づき散布量制御をするにあたり、下向き散布ノズル３ａ，…の前後高電圧電導体６１，６１のみに電圧を供給し、左右吊り下げ高電圧電導体６１ｄ，６１ｄへの電圧を切りにした状態で、散布量制御をしてもよい。
【００４３】
また、中央散布ブーム４Ｃ、左右散布ブーム４Ｌ，４Ｒに前後高電圧電導体６１，…、左右吊り下げ高電圧電導体６１ｄ，…を付設した静電散布装置において、車速センサの検出情報に基づき散布量制御をするにあたり、左右吊り下げ高電圧電導体６１ｄ，６１ｄへの電圧を供給し、下向き散布ノズル３ａ，…の前後高電圧電導体６１，６１の電圧を切りにした状態で、散布量制御をしてもよい。
【００４４】
前記構成により、種々の作物に対して静電散布量制御を適切に行なうことができる。
中央散布ブーム４Ｃ、基準左右散布ブーム４Ｌａ，４Ｒａ、スライド左右散布ブーム４Ｌｂ，４Ｒｂのフレーム部に吊り下げステー６３を下方へ垂下して設けるにあたり、図６に示すように、吊り下げステー６３の上端部を長手方向に沿った軸６３ａで上下回動自在に支持し、吊り下げステー６３に吊り下げ散布ブーム４Ｄ，…及び左右吊り下げ高電圧電導体６１ｄ，…を支持する。
【００４５】
しかして、吊り下げステー６３を上方へ回動すると、吊り下げ散布ブーム４Ｄ，…及び左右吊り下げ高電圧電導体６１ｄ，…を上方へ退避格納することができ、散布状態から格納状態に容易に変更でき耐久性を高めることができる。
【００４６】
そして、吊り下げ散布ブーム４Ｄ，…及び左右吊り下げ高電圧電導体６１ｄ，…を上方へ回動格納した状態で、左右左散布ブーム４Ｌ，４Ｒを農用作業車１の機体側面に沿わせて収納状態とするにあたり、図１に示すように、左右散布ブーム４Ｌ，４Ｒの先端側を少し後側上方へ傾斜した状態で受け具６８で支持し、圃場の凹凸で農用作業車１が揺れても左右散布ブーム４Ｌ，４Ｒが地面などに接触しないようにしている。
【００４７】
また、中央散布ブーム４Ｃ、左右散布ブーム４Ｌ，４Ｒに前後高電圧電導体６１，…、左右吊り下げ高電圧電導体６１ｄ，…を付設した静電散布装置において、下向き散布ノズル３ａ，…の前後高電圧電導体６１，６１と左右吊り下げ噴霧ノズル３ｂ，…の左右吊り下げ高電圧電導体６１ｄ，６１ｄの供給電圧を独立して変更できるように構成し、下向き散布ノズル３ａ，…と左右吊り下げ噴霧ノズル３ｂ，…の吐出量が異なる場合には、吐出量に比例して前後高電圧電導体６１，…、左右吊り下げ高電圧電導体６１ｄ，…の電圧を高低に調節し、適正な電圧供給とし帯電精度の向上を図っている。
【００４８】
また、中央散布ブーム４Ｃ、左右散布ブーム４Ｌ，４Ｒに前後高電圧電導体６１，…、左右吊り下げ高電圧電導体６１ｄ，…を付設した静電散布装置において、下向き散布ノズル３ａ，…の前後高電圧電導体６１，６１と左右吊り下げ噴霧ノズル３ｂ，…の左右吊り下げ高電圧電導体６１ｄ，６１ｄの供給電圧を独立して変更できるように構成し、下向き散布ノズル３ａ，…と左右吊り下げ噴霧ノズル３ｂ，…の吐出量が異なる場合には、吐出量に比例して両噴霧ノズル３ａ，３ｂの前後高電圧電導体６１，…、左右吊り下げ高電圧電導体６１ｄ，…の電圧を高低に調節し、車速センサの検出情報に基づき散布量制御をするように構成してもよい。
【００４９】
また、中央散布ブーム４Ｃ、左右散布ブーム４Ｌ，４Ｒに下向き散布ノズル３ａ，…、左右吊り下げ噴霧ノズル３ｂ，…を備えた静電散布装置において、前記吊り下げステー６３に左右吊り下げ噴霧ノズル３ｂ，…付きの吊り下げ散布ブーム４Ｄ及び左右吊り下げ高電圧電導体６１ｄ，６１ｄの直線状部６１ｄｂ、左右円環状部６１ｄａ，…を設け、吊り下げステー６３の上側端部を軸６３ａで進行方向に沿って上下回動自在に軸支し、且つ、バネ６３ｂにより下方へ回動しがちに付勢すると、前進での散布作業状態で吊り下げステー６３の下端部が地面等に干渉すると、吊り下げステー６３が後方上方へ退避回動し、左右吊り下げ噴霧ノズル３ｂ，…付きの吊り下げ散布ブーム４Ｄ及び左右吊り下げ高電圧電導体６１ｄ，６１ｄの直線状部６１ｄｂ、左右円環状部６１ｄａ，…も一体的に後方上方へ退避回動し、損傷を防止するようにしている。
【００５０】
また、前進での散布作業状態で吊り下げステー６３の下端部が地面等に干渉し吊り下げステー６３が後方上方へ退避回動し、左右吊り下げ噴霧ノズル３ｂ，…付きの吊り下げ散布ブーム４Ｄ及び左右吊り下げ高電圧電導体６１ｄ，６１ｄの直線状部６１ｄｂ、左右円環状部６１ｄａ，…も一体的に後方上方へ回動し、吊り下げステー６３の下端部と地面との間に間隙が生じると、吊り下げステー６３はバネ６３ｂにより下方へ復帰回動し、左右吊り下げ噴霧ノズル３ｂ，…付きの吊り下げ散布ブーム４Ｄ及び左右吊り下げ高電圧電導体６１ｄ，６１ｄの直線状部６１ｄｂ、左右円環状部６１ｄａ，…も一体的に下方の散布作業位置に復帰し、作物への散布漏れを少なくすることができる。
【００５１】
また、中央散布ブーム４Ｃ、左右散布ブーム４Ｌ，４Ｒに下向き散布ノズル３ａ，…、吊り下げ散布ノズル３ｂ，…を備えた静電散布装置において、中央散布ブーム４Ｃ、左右散布ブーム４Ｌ，４Ｒのフレーム部に吊り下げステー６３を上下回動自在に軸支し、吊り下げステー６３に例えば支点超えにより上方付勢状態あるいは下方付勢状態に切り換えられるバネ（図示省略）を取り付けるようにしてもよい。このようにすると、前進作業状態では吊り下げステー６３を下方へ復帰回動させて散布作業を円滑に行い、また、非作業状態では吊り下げステー６３を上方へ回動させ損傷を防止することができる。
【符号の説明】
【００５２】
１        農用作業車
３ａ        下向き散布ノズル
３ｂ        左右吊り下げ噴霧ノズル
４Ｃ        中央散布ブーム
４Ｌ        左散布ブーム
４Ｒ        右散布ブーム
４Ｄ        吊り下げ散布ブーム
６１        前高電圧電導体
６１        後高電圧電導体
６１ａ      円環状部
６１ｄ      左右吊り下げ高電圧電導体
６１ｄａ    左右円環状部
６２        支持手段（ステー）
【図１】
2012135224.tif 000003
【図２】
2012135224.tif 000004
【図３】
2012135224.tif 000005
【図４】
2012135224.tif 000006
【図５】
2012135224.tif 000007
【図６】
2012135224.tif 000008
【図７】
2012135224.tif 000009